(57)【要約】【課題】  異常の発生に対して迅速かつ適切に対処するとともに、使用環境の変化に対しても臨機応変に対応できるようにして汎用性及び発展性を高める。【解決手段】  移動可能な再加熱カートＣ…に対して後付けし、温度検出手段２…により検出した庫内温度Ｔｉ…に係わる温度データＤｄ…を、検出した再加熱カートＣ…に対応させた情報信号Ｐｄ…として無線により送信可能な無線送信手段３…を有するカート監視装置Ｍｓ…を備えるとともに、情報信号Ｐｄ…を受信する無線受信手段４、及びこの無線受信手段４から得られる温度データＤｄ…が予め設定した通報条件を満たすか否かを判定し、判定結果が通報条件を満たしたなら当該通報条件に対応した通報を、予め設定した電子メールアドレスが付された携帯電話Ｈ…に対して電子メールにより送信する通報手段５を有する中央監視装置Ｍｃを備える。【選択図】  図１
2010139090.tif 000002
【特許請求の範囲】
【請求項１】
庫内に収容した食品を冷却及び再加熱する再加熱カートの庫内温度を監視する再加熱カートの温度監視システムであって、少なくとも一台以上の移動可能な再加熱カートに対して後付けし、庫内温度を検出する温度検出手段、及びこの温度検出手段により検出した庫内温度に係わる温度データを、少なくとも検出した再加熱カートに対応させた情報信号として無線により送信可能な無線送信手段を有する少なくとも一つ以上のカート監視装置を備えるとともに、前記無線送信手段により送信された情報信号を受信する無線受信手段、及びこの無線受信手段から得られる前記温度データが予め設定した通報条件を満たすか否かを判定し、判定結果が通報条件を満たしたなら当該通報条件に対応した通報を、少なくとも予め設定した電子メールアドレス及び／又は電話番号が付された一又は二以上の携帯電話に対して電子メール及び／又は音声メッセージにより送信する通報手段を有する中央監視装置を備えることを特徴とする再加熱カートの温度監視システム。
【請求項２】
前記通報条件は、少なくとも、
（ａ）冷却時における前記庫内温度が予め設定した設定温度又は設定温度範囲を外れること、
（ｂ）再加熱時における前記庫内温度が予め設定した設定温度又は設定温度範囲を外れること、
のいずれかを満たすことを条件とすることを特徴とする請求項１記載の再加熱カートの温度監視システム。
【請求項３】
前記通報手段による判定は、前記通報条件に対応して設定した設定期間に行うことを特徴とする請求項１又は２記載の再加熱カートの温度監視システム。
【請求項４】
前記中央監視装置は、前記温度データを、少なくとも、対応する再加熱カートを特定するカートデータ及び検出時刻に係わる時刻データと一緒に記憶する動作データ記憶手段を備えることを特徴とする請求項１，２又は３記載の再加熱カートの温度監視システム。
【請求項５】
前記中央監視装置は、前記通報手段による判定に係わる所定の判定データを記憶する判定データ記憶手段を備えることを特徴とする請求項１〜４のいずれかに記載の再加熱カートの温度監視システム。
【請求項６】
前記中央監視装置は、前記温度データを、少なくとも、対応する再加熱カートを特定するカートデータ及び検出時刻に係わる時刻データと一緒にグラフ表示するデータ表示手段を備えることを特徴とする請求項１〜５のいずれかに記載の再加熱カートの温度監視システム。
【請求項７】
前記無線受信手段と前記無線送信手段の間には、前記情報信号を中継する中継手段を備えることを特徴とする請求項１記載の再加熱カートの温度監視システム。
【発明の詳細な説明】
【技術分野】
【０００１】
本発明は、庫内に収容した食品を冷却及び再加熱する再加熱カートの庫内温度を監視する際に用いて好適な再加熱カートの温度監視システムに関する。
【背景技術】
【０００２】
一般に、多人数分の調理済み料理（食品）を載せた配膳トレー等を庫内に収納し、収納時から指定時間までは庫内をチルド冷却モード（５〔℃〕以下）により冷却するとともに、指定時間が経過したなら庫内を再加熱モード（１２０±１０〔℃〕）に切換えて再加熱を行う機能を有する再加熱カートは知られており、このような再加熱カートを使用すれば、チルド冷却モードにおいて細菌の繁殖を抑え、再加熱モードにおいて殺菌を行うことができる。
【０００３】
ところで、再加熱カートは、養護老人ホーム等の各種施設で使用されることが多いとともに、チルド冷却モードから再加熱モードに移行する制御が行われるため、再加熱カート固有の問題も発生する。例えば、チルド冷却モード時に、冷却動作の不具合や一時的な停電が発生したにも拘わらず、再加熱モードが正常に行われた場合、チルド冷却モード時の異常を確認できないため、チルド冷却モード期間に繁殖した細菌が十分に殺菌されないまま料理が提供されてしまう虞れも想定される。したがって、再加熱カートの動作状態を監視することはきわめて重要な事項となる。
【０００４】
従来、このような監視機能を備えた再加熱カートも知られており、特許文献１には、食品を冷蔵状態に保ち、冷蔵した食品を所定の間隔で再加熱するための冷蔵・再加熱システムであって、このシステムは、内部区画と、内部区画に収納された複数の食品用トレイと、内部区画へ出し入れする手段とを備えた冷蔵・再加熱カートと、冷蔵空気を生成し、内部区画に冷蔵空気を所定間隔の間導く案内手段を有する冷蔵手段と、加熱空気を生成し、内部区画に加熱空気を所定間隔の間導く案内手段を有する加熱手段とを備えたドッキングユニットと、冷蔵・再加熱システムを監視及び制御し、通信信号を送受信する通信・制御手段と、情報信号を検出し、複数の情報信号を生成すべく作動可能な検知手段と、冷蔵・再加熱システムへ電力供給する動力源と、通信信号を送受することにより、通信・制御手段と通信する通信手段と、情報を保存する保存手段とを備え、冷蔵・再加熱システムを監視するセントラルコンピュータとからなる冷蔵・再加熱システムが開示されている。
【特許文献１】特開２００１−１０８３６０号公報
【発明の開示】
【発明が解決しようとする課題】
【０００５】
しかし、上述した従来の冷蔵・再加熱システムに備える監視機能は、次のような問題点があった。
【０００６】
第一に、コンピュータにより冷蔵・再加熱システムを遠隔で監視及び制御することを主な目的としているため、異常が発生した際の具体的な対応策が考慮されていない。したがって、実際に異常が発生した場合、異常に対する対応策が間に合わなかったり或いは状況を十分に把握できないなど、異常の発生に対して迅速かつ適切に対処することができない虞れがある。
【０００７】
第二に、全体の冷蔵・再加熱システムを固有の専用システムとして構築するため、様々な使用環境に臨機応変に対応できない。即ち、養護老人ホーム等の各種施設では、再加熱カートの台数が増減したり或いは再加熱カートの使用場所が変更になるなど、再加熱カートの使用環境が変化することも少なくないが、このような使用環境の変化に臨機応変に対応できないなど、汎用性及び発展性に難がある。
【０００８】
本発明は、このような背景技術に存在する課題を解決した再加熱カートの温度監視システムの提供を目的とするものである。
【課題を解決するための手段】
【０００９】
本発明は、上述した課題を解決するため、庫内に収容した食品を冷却及び再加熱する再加熱カートＣの庫内温度Ｔｉを監視する再加熱カートの温度監視システム１を構成するに際して、少なくとも一台以上の移動可能な再加熱カートＣ…に対して後付けし、庫内温度Ｔｉ…を検出する温度検出手段２…、及びこの温度検出手段２…により検出した庫内温度Ｔｉ…に係わる温度データＤｄ…を、少なくとも検出した再加熱カートＣ…に対応させた情報信号Ｐｄ…として無線により送信可能な無線送信手段３…を有する少なくとも一つ以上のカート監視装置Ｍｓ…を備えるとともに、無線送信手段３…により送信された情報信号Ｐｄ…を受信する無線受信手段４、及びこの無線受信手段４から得られる温度データＤｄ…が予め設定した通報条件を満たすか否かを判定し、判定結果が通報条件を満たしたなら当該通報条件に対応した通報を、少なくとも予め設定した電子メールアドレス及び／又は電話番号が付された一又は二以上の携帯電話Ｈ…に対して、電子メール及び／又は音声メッセージにより送信する通報手段５を有する中央監視装置Ｍｃを備えることを特徴とする。
【００１０】
この場合、発明の好適な態様により、通報条件は、少なくとも、冷却時における庫内温度Ｔｉ…が予め設定した設定温度又は設定温度範囲を外れること、再加熱時における庫内温度Ｔｉ…が予め設定した設定温度又は設定温度範囲を外れること、のいずれかを満たすことを条件とすることができる。また、通報手段５による判定は、通報条件に対応して設定した設定期間に行うことができる。一方、中央監視装置Ｍｃには、温度データＤｄ…を、少なくとも、対応する再加熱カートＣ…を特定するカートデータＤｃ…及び検出時刻に係わる時刻データＤｔ…と一緒に記憶する動作データ記憶手段１１を設けることができるとともに、通報手段５による判定に係わる所定の判定データを記憶する判定データ記憶手段１２を設けることができる。さらに、中央監視装置Ｍｃには、温度データＤｄ…を、少なくとも、対応する再加熱カートＣ…を特定するカートデータＤｃ…及び検出時刻に係わる時刻データＤｔ…と一緒にグラフ表示するデータ表示手段１３を設けることができる。他方、温度監視システム１における無線受信手段４と無線送信手段３…の間には、情報信号Ｐｄ…を中継する中継手段１４…を設けることができる。
【発明の効果】
【００１１】
このような構成を有する本発明に係る再加熱カートの温度監視システム１によれば、次のような顕著な効果を奏する。
【００１２】
（１）  予め設定した通報条件に対応した通報を、少なくとも電子メールアドレス及び／又は電話番号が付された携帯電話Ｈ…に対して、電子メール及び／又は音声メッセージにより送信する通報手段５を有する中央監視装置Ｍｃを備えるため、実際に異常が発生した際に、異常に対する対応策が間に合わなかったり或いは状況を十分に把握できないなどの不具合を回避することができ、異常の発生に対して迅速かつ適切に対処することができる。
【００１３】
（２）  移動可能な再加熱カートＣ…に対して後付けし、温度検出手段２…により検出した庫内温度Ｔｉ…に係わる温度データＤｄ…を、情報信号Ｐｄ…として無線により送信可能な無線送信手段３…を有するカート監視装置Ｍｓ…を備えるため、様々な使用環境にも臨機応変に対応できる。即ち、養護老人ホーム等の各種施設では、再加熱カートＣ…の台数が増減したり或いは再加熱カートＣ…の使用場所が変更になるなど、再加熱カートＣ…の使用環境が変化することも少なくないが、このような使用環境の変化に対しても臨機応変に対応することが可能となり、汎用性及び発展性に優れる。
【００１４】
（３）  好適な態様により、少なくとも、冷却時における庫内温度Ｔｉ…が予め設定した設定温度又は設定温度範囲を外れること、再加熱時における庫内温度Ｔｉ…が予め設定した設定温度又は設定温度範囲を外れること、のいずれかを満たすことを条件とすれば、チルド冷却モードと再加熱モードの双方における異常発生を的確かつ確実に検出することができる。
【００１５】
（４）  好適な態様により、通報手段５による判定を、通報条件に対応して設定した設定期間に行うようにすれば、必要とする期間においてのみ監視を行うことができるため、判定の確実性及び信頼性をより高めることができる。
【００１６】
（５）  好適な態様により、中央監視装置Ｍｃに、温度データＤｄ…を、少なくとも、対応する再加熱カートＣ…を特定するカートデータＤｃ…及び検出時刻に係わる時刻データＤｔ…と一緒に記憶する動作データ記憶手段１１を設ければ、異常発生時を含む全体の動作状態に係わる各種情報を履歴として残すことができるため、動作状態の解析や改善等に有効に利用できる。
【００１７】
（６）  好適な態様により、中央監視装置Ｍｃに、通報手段５による判定に係わる所定の判定データを記憶する判定データ記憶手段１２を設ければ、判定に係わるデータを履歴として残すことができるため、異常の発生状況或いは異常が発生する虞れのある状況等に係わる解析や改善等に有効に利用できる。
【００１８】
（７）  好適な態様により、中央監視装置Ｍｃに、温度データＤｄ…を、少なくとも、対応する再加熱カートＣ…を特定するカートデータＤｃ…及び検出時刻に係わる時刻データＤｔ…と一緒にグラフ表示するデータ表示手段１３を設ければ、異常発生時を含む全体の動作状態を迅速かつ的確に把握できるため、必要かつ適切な対応策を速やかに行うことができる。
【００１９】
（８）  好適な態様により、温度監視システム１における無線受信手段４と無線送信手段３…の間に、情報信号Ｐｄ…を中継する中継手段１４…を設ければ、情報信号Ｐｄ…が届きにくい広い使用環境或いは障害物のある使用環境等であっても、その使用環境に対応して柔軟に対応することができる。
【発明を実施するための最良の形態】
【００２０】
次に、本発明に係る最良の実施形態を挙げ、図面に基づき詳細に説明する。
【００２１】
まず、本実施形態に係る温度監視システム１における全体のシステム構成（システム系統）について、図１〜図３及び図６〜図８を参照して説明する。
【００２２】
図１及び図２は、温度監視システム１の全体系統を示す。図２に示すＣ…は温度監視システム１により監視する再加熱カートであり、三台の再加熱カートＣ…を例示する。一台の再加熱カートＣは底面に移動用のキャスタ５１…を備え、自由に移動させることができる。また、前面には扉５２ｐ，５２ｑを備え、この扉５２ｐ，５２ｑを開閉することにより、内部空間の庫内に対して、食品、例えば、多人数分の調理済み料理を載せた配膳トレー等を出し入れすることができる。さらに、天面にはテーブルプレート部５３を備えるとともに、テーブルプレート部５３の上方には照明を含む保温部（加温部）５４を備える。再加熱カートＣは、冷却機能部及び加熱機能部を内蔵し、チルド冷却モード又は再加熱モードによる制御を行うことができる。チルド冷却モードでは、庫内を５〔℃〕以下にチルド冷却するとともに、再加熱モードでは、庫内を１２０±１０〔℃〕に再加熱する。なお、例示する他の再加熱カートＣ…も同じ構成である。
【００２３】
一方、温度監視システム１は、各再加熱カートＣ…にそれぞれ後付け可能なカート監視装置Ｍｓ…を備える。カート監視装置Ｍｓは、図２に示すように、再加熱カートＣにおける、例えば、側面部に取付けた無線送信機（子機）３ｓと、庫内に配した温度センサ２ｓを備え、この温度センサ２ｓは扉５２ｐの隙間等を通したフラットケーブル２１等により子機３ｓに接続することができる。この場合、温度センサ２ｓは、庫内の温度（庫内温度）Ｔｉを検出する温度検出手段２を構成するとともに、子機３ｓは、温度センサ２ｓにより検出した庫内温度Ｔｉに係わる温度データＤｄを、少なくとも検出した再加熱カートＣに対応させた情報信号Ｐｄとして無線により送信可能な無線送信手段３を構成する。
【００２４】
また、温度監視システム１は、中央監視装置Ｍｃを備える。中央監視装置Ｍｃは、子機３ｓ…から送信された情報信号Ｐｄ…を受信する無線受信機（親機）４ｓと、この親機４ｓに接続したサーバコンピュータ２２を備える。親機４ｓは、無線受信手段４を構成する。一方、サーバコンピュータ２２は、図１に示すように、コンピュータ本体部３１を備える。コンピュータ本体部３１は、内部メモリ３１ｍを備え、この内部メモリ３１ｍは、少なくともデータメモリエリアとプログラムメモリエリアを有する。内部メモリ３１ｍにおけるプログラムメモリエリアには、本実施形態に係る温度監視システム１を動作させるための処理プログラム（制御プログラム）が格納されている。他方、内部メモリ３１ｍ（データメモリエリア）は、動作データ記憶手段１１を構成し、温度データＤｄ…を、少なくとも、対応する再加熱カートＣ…を特定するカートデータＤｃ…及び検出時刻に係わる時刻データＤｔ…と一緒に記憶することができる。また、内部メモリ３１ｍ（データメモリエリア）は、判定データ記憶手段１２を構成し、通報手段５による判定に係わる所定の判定データを記憶することができる。所定の判定データには、判定結果（特に、異常判定）をはじめ、判定結果に関連する通報記録等の各種データを含ませることができる。なお、３２は、コンピュータ本体部３１に接続したキーボード，マウス等の入力部（設定部）を示す。
【００２５】
さらに、サーバコンピュータ２２は、コンピュータ本体部３１に接続した各種表示を行うディスプレイ３３及びコンピュータ本体部３１に内蔵するアラーム音（ビープ音）を出力するスピーカ等の音声出力部３４を備える。ディスプレイ３３は、データ表示手段１３を構成し、温度データＤｄ…を、少なくとも、対応する再加熱カートＣ…を特定するカートデータＤｃ…及び検出時刻に係わる時刻データＤｔ…と一緒にグラフ表示することができる。図３は、ディスプレイ３３に表示される表示画面４１の一例を示し、この表示画面４１には、データに関連した表示を行うデータ表示部４１ｄと、異常が発生したときの
通報を行うための異常表示部４１ａが含まれる。データ表示部４１ｄには、グラフ表示部４１ｄｇ、数値による温度データ表示部４１ｄｔ及び通報記録を表示する通報記録表示部４１ｄｒが含まれる。また、異常表示部４１ａには温度監視表示部４１ａｃが含まれる。４２は表示画面４１上にポップアップウィンドウにより表示された通報条件設定部を示す。なお、図６には通報条件設定部４２を、図７には温度監視表示部４１ａｃを、図８にはグラフ表示部４１ｄｇを、それぞれ抽出した拡大図により示す。一方、サーバコンピュータ２２は、コンピュータ本体部３１に内蔵する通信部３５を備え、この通信部３５は、光通信回線やＡＤＳＬ回線等のインターネット接続可能な通信回線１００に接続し、少なくとも携帯電話Ｈ…と通信可能である。
【００２６】
サーバコンピュータ２２は、このような構成を有するため、少なくとも、検出された温度データＤｄ…が予め設定した通報条件を満たすか否かを判定し、判定結果が通報条件を満たしたなら当該通報条件に対応した通報を、予め設定した電子メールアドレスを有する一又は二以上の携帯電話Ｈ…に電子メール（通報メッセージ）を送信する通報手段５として機能する。
【００２７】
ところで、図２に示す三台の子機３ｓ…において、上から三番目となる一台の子機３ｓは親機４ｓにより直接受信できる状態にあることを示している。しかし、上から一番目及び二番目となる二台の子機３ｓ…は、親機４ｓに対してかなり離れた場所に配置され、親機４ｓによっては直接受信できない状態にあることを示している。したがって、この場合は、例示するように、中継機１４ｓを設置する。この中継機１４ｓは、上から一番目及び二番目となる二台の子機３ｓ…から直接受信可能であり、かつ親機４ｓに対して送信可能である。この中継機１４ｓは、無線受信機（親機）４ｓと無線送信機（子機）３ｓ…の間に設けることにより情報信号Ｐｄ…を中継する中継手段１４を構成する。このような中継機１４ｓを設ければ、情報信号Ｐｄ…が届きにくい広い使用環境或いは障害物のある使用環境等であっても、その使用環境に対応して柔軟に対応することができる。
【００２８】
また、子機３ｓ…，中継機１４ｓ及び親機４ｓは、回折性による接続能力の高い特定小電力無線、例えば、４２９〔ＭＨｚ〕帯，出力１０〔ｍＷ〕などの無線仕様により構成することができる。この無線仕様の場合、カバーエリアは平均１００〔ｍ〕程度となるが、カバーエリアを広げる場合には、９５０〔ＭＨｚ〕帯を使用すればよい。この無線仕様の場合、通信速度を１００ｋｂｐｓまで高速化できるとともに、カバーエリアも５００〜６００〔ｍ〕程度まで広げることができる。また、情報信号Ｐｄには、パケット方式を使用することができ、情報信号（パケット）Ｐｄのデータフォーマットには、温度センサ２ｓにより検出した庫内温度Ｔｉの温度データＤｄ，この温度データＤｄに対応する再加熱カートＣ（子機３ｓ）を特定する固有のＩＤデータ，パケット番号データ等を含めることができる。
【００２９】
次に、本実施形態に係る温度監視システム１の使用方法及び動作について、各図を参照しつつ図４及び図５に示すフローチャートに従って説明する。
【００３０】
例示は、養護老人ホーム等の施設内に設置した温度監視システム１を想定している。図７は、ディスプレイ３３に表示される表示画面４１（図３）に含まれる温度監視表示部４１ａｃを示す。この温度監視表示部４１ａｃには、温度監視システム１により監視する再加熱カートＣ…の配置場所に対応した再加熱カートのアイコンＣｉ…が表示される。図７の場合、施設は５階建の建物を示し、１階，２階，４階及び５階の食事室に、それぞれ一台ずつ再加熱カートＣｉ（Ｃ）…を配置し、３階の食事室に二台の再加熱カートＣ（Ｃｉ）…を配置する場合を示している。なお、１階の再加熱カートＣｉ（Ｃ）は、一台の再加熱カートＣｉ（Ｃ）に２チャンネル、即ち、独立して制御可能な二つの収納庫を有する再加熱カートＣｉ（Ｃ）を示している。
【００３１】
一方、温度監視システム１を使用するに際しては、予め、各種設定、即ち、基本設定，通報条件設定及びメール設定を行う。設定を行うには、サーバコンピュー２２のディスプレイ３３に表示される表示画面４１を利用する。前述したように、コンピュータ本体部３１の内部メモリ３１ｍには、温度監視システム１を動作させるための処理プログラムが格納されているため、この処理プログラムに従って設定を行うことができる。
【００３２】
まず、基本設定は、表示画面４１に表示される接続マップ画面を利用する。接続マップ画面は図示を省略したが、例えば、子機アイコン，中継機アイコン，親機アイコン，コンピュータアイコンがそれぞれ表示されるため、これらのアイコンを利用して温度監視システム１全体の接続マップを作成するとともに、各機器にそれぞれ固有のシリアル番号（ＩＤデータ）を設定する。このような接続マップを作成すれば、図７の温度監視表示部４１ａｃは自動で作成される。
【００３３】
また、通報条件設定は、図６に示す通報条件設定部４２を利用して行う。通報条件設定は、各再加熱カートＣ…毎に行うことができるとともに、一台の再加熱カートＣにおいて複数の通報条件を設定することができる。通報条件設定では、（ａ）冷却時における庫内温度Ｔｉ…が予め設定した設定温度又は設定温度範囲を外れること、（ｂ）再加熱時における庫内温度Ｔｉ…が予め設定した設定温度又は設定温度範囲を外れること、のいずれかを満たすことが条件となる。このため、通報条件設定部４２における温度条件設定部４２ｂにより、この温度条件を設定する。まず、冷却時（チルド状態）に対しては、下限温度（例えば、１．５〔℃〕）と上限温度（例えば、４．５〔℃〕）の設定温度範囲を設定する。これにより、庫内温度Ｔｉが当該下限温度以下又は当該上限温度以上になったときに、通報条件（ａ）を満たすことになる。再加熱時（高温域確認温度）に対しては、設定温度（例えば、８０〔℃〕）を設定する。これにより、庫内温度Ｔｉが当該設定温度以下になったときに、通報条件（ｂ）を満たすことになる。このような通報条件を設定すれば、チルド冷却モードと再加熱モードの双方における異常発生を的確かつ確実に検出することができる。なお、誤判定を防止するための異常判定時間（例えば、６〔分〕）を設定し、異常判定時間に判定した判定結果が全て一致したときに判定結果を有効にする。
【００３４】
さらに、時刻条件設定部４２ａを用いて、判定（監視）を行うための期間（設定期間）を設定する。この場合、冷却時（チルド監視時刻）において判定を行う設定期間を開始時刻と終了時刻により設定する。同様に、再加熱時（高温域温度確認時刻）において判定を行う設定期間を開始時刻により設定する。なお、冷却時（チルド監視時刻）に判定を行う設定期間は、２チャンネル分を設定することができる。
【００３５】
一方、通報形態設定部４２ｃを用いて通報形態を設定する。この場合、ビープ音の有無、異常発生を表示するポップアップウィンドウの有無、電子メールの有無、を任意に選択して設定できる。また、通報メッセージ及び通報先の電子メールアドレスを設定する。通報メッセージ及び電子メールアドレスは、追加ボタン４２ｘと削除ボタン４２ｙにより設定又は削除可能である。即ち、追加ボタン４２ｘを選択すれば、メール設定ウィンドウが表示されるため、このメール設定ウィンドウを利用して、新規又は追加の電子メールアドレスの入力と通報メッセージの作成を行うことができる。このような設定は、上述したように、一台の再加熱カートＣにおいて複数（例示は三つ）の通報条件を設定することができる。したがって、設定温度（設定温度範囲）を外れる手前で通報を行う通報条件を設定すれば、設定温度（設定温度範囲）を外れる前に、予備警報となる通報メッセージを送信することができるなど、様々な形態を設定できる。
【００３６】
次に、温度監視システム１の動作について説明する。最初に、カート監視装置Ｍｓ側の動作（処理）について、図４に示すフローチャートを参照して説明する。
【００３７】
今、任意の子機３ｓは待機状態にあるものとする（ステップＳ１）。子機３ｓは、２〔分〕間隔で庫内温度Ｔｉを検出する検出処理及び情報信号Ｐｄを送信（発信）する送信処理を行うため、前回の送信処理から２〔分〕が経過した送信タイミングになったなら、温度センサ２ｓにより庫内温度Ｔｉを検出する検出処理（取込処理）を行う（ステップＳ２，Ｓ３）。そして、庫内温度Ｔｉの検出による温度データＤｄを得たなら子機３ｓに備えるメモリに記憶する（ステップＳ４）。なお、子機３ｓには必ずしも温度データＤｄを記憶させる必要はないが、記憶させる機能を設けることにより、子機３ｓ側でも庫内温度Ｔｉの履歴を確認できる利点がある。さらに、得られた温度データＤｄに対しては、子機３ｓのＩＤデータ等を含む必要なデータを加えて情報信号Ｐｄを生成し、この情報信号Ｐｄを子機３ｓのアンテナから発信させる送信処理を行う（ステップＳ５）。以上の処理が終了したなら子機３ｓは再び待機状態となる（ステップＳ６）。
【００３８】
次に、中継機１４ｓを含む中央監視装置Ｍｃ側の動作について、図５に示すフローチャートを参照して説明する。
【００３９】
任意の中継機１４ｓ又は親機４ｓは待機状態（無受信状態）にあるものとする（ステップＳ１１）。この状態において、子機３ｓからの情報信号Ｐｄを受信すれば、親機４ｓは受信した情報信号Ｐｄから温度データＤｄ及びＩＤデータを含むデータの取出しを行う（ステップＳ１２，Ｓ１３）。なお、中継機１４ｓが情報信号Ｐｄを受信した際は、親機４ｓに対して、受信した情報信号Ｐｄを転送（送信）する。そして、親機４ｓは、温度データＤｄ及びＩＤデータを含むデータをコンピュータ本体部３１に転送する（ステップＳ１４）。一方、コンピュータ本体部３１（通報手段５）では、予め設定された通報条件を満たすか否かの判定処理を行う（ステップＳ１５）。この際、チルド冷却モードであれば、対応する設定期間内の時刻であるか否かを判定し、設定期間内の時刻であれば、温度データＤｄ（庫内温度Ｔｉ）がチルド冷却モードに対応して設定した設定温度範囲にあるか否かを判定する。また、再加熱モードであれば、対応する設定期間内の時刻であるか否かを判定し、設定期間内の時刻であれば、温度データＤｄ（庫内温度Ｔｉ）が再加熱モードに対応して設定した設定温度を越えているか否かを判定する。このように、通報手段５による判定を、通報条件に対応して設定した設定期間に行うようにすれば、必要とする期間においてのみ監視を行うことができるため、判定の確実性及び信頼性をより高めることができる。
【００４０】
そして、判定結果が通報条件を満たさなければ、正常動作状態にあると判断されるため、温度データＤｄを、対応する再加熱カートＣを特定するカートデータＤｃ及び検出時刻に係わる時刻データＤｔと一緒に内部メモリ３１ｍに記憶する（ステップＳ１６，Ｓ１７）。これにより、全体の動作状態に係わる各種情報を履歴として残すことができるため、動作状態の解析や改善等に有効に利用できる。また、温度データＤｄを、対応する再加熱カートＣを特定するカートデータＤｃ及び検出時刻に係わる時刻データＤｔと一緒に、図８に示すグラフ表示部４１ｄｇに表示（追加表示）する（ステップＳ１８）。この場合、カートデータＤｃにより、対応するグラフ表示部４１ｄｇを選択するとともに、時刻データＤｔをグラフ表示の横軸に適用し、温度データＤｄをグラフ表示の縦軸に適用する。図８は、２チャンネルの再加熱カートＣにおける各庫内温度Ｔｉ…を二つのグラフＧ１，Ｇ２で表示するとともに、上限温度及び下限温度（設定温度範囲）をＧ３及びＧ４で表示した例を示す。このようなグラフ表示部４１ｄｇは、例示のように、各再加熱カートＣ…毎に切換表示してもよいし、色分けすることにより複数の再加熱カートＣ…を同時に表示してもよい。このようなグラフ表示を行うことにより、異常発生時を含む全体の動作状態を迅速かつ的確に把握できるため、必要かつ適切な対応策を速やかに行うことができる。以上の処理が終了したなら、次の情報信号Ｐｄを受信するまで待機状態となる（ステップＳ１９）。なお、グラフ表示部４１ｄｇに表示されるグラフに対して、マウスドラッグにより範囲選択を行えば、選択した範囲の温度データＤｄ…をＣＳＶファイルにより出力することができる。
【００４１】
他方、ステップＳ１６において、判定結果が通報条件を満たしたときは、所定の通報処理を行う。この場合、通報条件に対応した通報メッセージが選択される（ステップＳ２０）。そして、予め設定した電子メールアドレスに対して、選択された通報メッセージを電子メールにより送信する送信処理を行う（ステップＳ２１）。これにより、対応する携帯電話Ｈ…では、送信された通報メッセージを受信することができる。また、電子メールの送信に加えて他の通報処理も行う（ステップＳ２２）。この際、コンピュータ本体部３１において、ビープ音が選択されている場合には、音声出力部３４によりビープ音（アラーム音）を出力する。また、ポップアップウィンドウが選択されている場合には、異常が発生した旨の通報メッセージをポップアップウィンドウにより表示する。このポップアップウィンドウも異常表示部４１ａとなる。さらに、異常表示部４１ａとなる温度監視表示部４１ａｃも通報メッセージの表示態様となる。具体的には、例えば、正常時には白色表示の再加熱カートＣのアイコンＣｉを、異常の発生により赤色表示に切換えるとともに、点滅表示により、対応する再加熱カートＣに異常が発生した旨の報知（警報）を行う。
【００４２】
これらの通報処理が終了したなら、温度データＤｄを、対応する再加熱カートＣを特定するカートデータＤｃ及び検出時刻に係わる時刻データＤｔと一緒に内部メモリ３１ｍに記憶するとともに、判定結果に係わる所定の判定データを記憶する（ステップＳ１７）。これにより、異常発生時を含む全体の動作状態に係わる各種情報を履歴として残すことができるため、動作状態の解析や改善等に有効に利用できるとともに、判定に係わるデータを履歴として残すことができるため、異常の発生状況或いは異常が発生する虞れのある状況等に係わる解析や改善等に有効に利用できる。また、温度データＤｄを、対応する再加熱カートＣを特定するカートデータＤｃ及び検出時刻に係わる時刻データＤｔと一緒に、図８に示すグラフ表示部４１ｄｇに追加表示する（ステップＳ１８）。以上の処理が終了したなら、次の情報信号Ｐｄを受信するまで待機状態となる（ステップＳ１９）。
【００４３】
よって、このような本実施形態に係る温度監視システム１によれば、予め設定した通報条件に対応した通報を、少なくとも電子メールアドレスを有する携帯電話Ｈ…に、電子メールにより送信する通報手段５を有する中央監視装置Ｍｃを備えるため、実際に異常が発生した際に、異常に対する対応策が間に合わなかったり或いは状況を十分に把握できないなどの不具合を回避することができ、異常の発生に対して迅速かつ適切に対処することができる。また、移動可能な再加熱カートＣ…に対して後付けし、温度検出手段２…により検出した庫内温度Ｔｉ…に係わる温度データＤｄ…を、情報信号Ｐｄ…として無線により送信可能な無線送信手段３…を有するカート監視装置Ｍｓ…を備えるため、様々な使用環境にも臨機応変に対応できる。即ち、養護老人ホーム等の各種施設では、再加熱カートＣ…の台数が増減したり或いは再加熱カートＣ…の使用場所が変更になるなど、再加熱カートＣ…の使用環境が変化することも少なくないが、このような使用環境の変化に対しても臨機応変に対応することが可能となり、汎用性及び発展性に優れる。
【００４４】
以上、最良の実施形態について詳細に説明したが、本発明は、このような実施形態に限定されるものではなく、細部の構成，形状，手法，数量，数値等において、本発明の要旨を逸脱しない範囲で、任意に変更，追加，削除することができる。
【００４５】
例えば、庫内温度Ｔｉ…の検出は、再加熱カートＣ…に既設の温度センサを用いてもよい。また、無線仕様は、同様の動作を実現可能なものであれば、どのような無線仕様であってもよい。なお、携帯電話Ｈとは、ＰＤＡ等も含む各種モバイル装置を示す概念である。一方、電子メールアドレスが付された携帯電話Ｈに対して電子メールにより送信する場合を示したが、電話番号が付された携帯電話Ｈに対して音声メッセージ（登録音声又は合成音声）により送信（電話）する場合であっても同様に実施できる。さらに、温度監視システム１は、各種タイプの再加熱カートＣ…に適用でき、名称が異なる場合であっても同様の機能を有する温調機器であれば、同様に適用することができる。また、無線送信機３ｓや無線受信機４ｓは、このような機能を内蔵すれば足り、双方向通信可能な無線通信機であってもよい。
【図面の簡単な説明】
【００４６】
【図１】本発明の最良の実施形態に係る温度監視システムのブロック系統図、
【図２】同温度監視システムの概要図、
【図３】同温度監視システムにおけるディスプレイの表示画面図、
【図４】同温度監視システムにおけるカート監視装置側の動作（処理）を説明するためのフローチャート、
【図５】同温度監視システムにおける中央監視装置側の動作（処理）を説明するためのフローチャート、
【図６】同温度監視システムのディスプレイに表示される表示画面における通報条件設定部の抽出拡大図、
【図７】同温度監視システムのディスプレイに表示される表示画面における温度監視表示部の抽出拡大図、
【図８】同温度監視システムのディスプレイに表示される表示画面におけるグラフ表示部の抽出拡大図、
【符号の説明】
【００４７】
１：温度監視システム，２…：温度検出手段，３…：無線送信手段，４：無線受信手段，５：通報手段，１１：動作データ記憶手段，１２：判定データ記憶手段，１３：データ表示手段，１４…：中継手段，Ｃ…：再加熱カート，Ｐｄ…：情報信号，Ｍｓ…：カート監視装置，Ｍｃ：中央監視装置，Ｈ…：携帯電話
【図１】
2010139090.tif 000003
【図２】
2010139090.tif 000004
【図３】
2010139090.tif 000005
【図４】
2010139090.tif 000006
【図５】
2010139090.tif 000007
【図６】
2010139090.tif 000008
【図７】
2010139090.tif 000009
【図８】
2010139090.tif 000010